(57)【要約】【課題】部品使用効率を向上させ得る電線コネクタを提供する。【解決手段】複数の電線を取着可能とした電線挿入孔２を備えた複数のコマコネクタ１ａ〜１ｃと、コマコネクタに設けられ、電線挿入孔に取着された電線を電気的に接続する導電部材７と、各コマコネクタに設けられ、該コマコネクタを積層状態に連結する連結部４と、各コマコネクタに設けられ、連結されたコマコネクタの導電部材を電気的に接続する接続部５，６とを備えた。【選択図】図２
2016115482.tif 000002
【特許請求の範囲】
【請求項１】
複数の電線を取着可能とした電線挿入孔を備えた複数のコマコネクタと、
前記コマコネクタに設けられ、前記電線挿入孔に取着された電線を電気的に接続する導電部材と、
前記各コマコネクタに設けられ、該コマコネクタを積層状態に連結する連結部と、
前記各コマコネクタに設けられ、連結されたコマコネクタの前記導電部材を電気的に接続する接続部と
を備えたことを特徴とする電線コネクタ。
【請求項２】
請求項１に記載の電線コネクタにおいて、
前記接続部は、
連結されるコマコネクタの一方のコマコネクタの導電部材に接続されるオスコンセントと、
連結されるコマコネクタの他方のコマコネクタの導電部材に接続され、前記オスコンセントと嵌合するメスコンセントと
を備えたことを特徴とする電線コネクタ。
【請求項３】
請求項２に記載の電線コネクタにおいて、
前記オスコンセント及びメスコンセントを、前記導電部材の両端に接続したことを特徴とする電線コネクタ。
【請求項４】
請求項２又は３に記載の電線コネクタにおいて、
前記オスコンセントを具備するコマコネクタと、前記オスコンセントを具備しない複数のコマコネクタを積層して連結したことを特徴とする電線コネクタ。
【請求項５】
請求項２に記載の電線コネクタにおいて、
前記導電部材を複数に分割し、前記オスコンセント及びメスコンセントを前記導電部材の各分割部分にそれぞれ設けたことを特徴とする電線コネクタ。
【発明の詳細な説明】
【技術分野】
【０００１】
本発明は、自動車のワイヤーハーネスとして纏められた電線を接続する電線コネクタに関するものである。
【背景技術】
【０００２】
自動車に搭載される電気機器を電気的に接続する電線は、ワイヤーハーネスとして多数本の電線が纏められて配索される。各電線の両端には接続端子がそれぞれ取着され、各接続端子がワイヤーハーネスの両端部でオス型のジョイントコネクタあるいはメス型のジョイントコネクタに保持されている。
【０００３】
そして、各ジョイントコネクタを対応するワイヤーハーネスのジョイントコネクタあるいは電気機器のコネクタに嵌合すると、各電気機器がワイヤーハーネスを介して電気的に接続される。
【０００４】
特許文献１には、複数層の絶縁樹脂板を貫通する多数のオス端子をジョイントバスバーで適宜に接続して、多端子のジョイント回路を高密度に形成したジョイントコネクタが開示されている。
【先行技術文献】
【特許文献】
【０００５】
【特許文献１】特開２０１２−４８８９７号公報
【発明の概要】
【発明が解決しようとする課題】
【０００６】
特許文献１に開示されたジョイントコネクタでは、自動車の仕様によっては、接続するメスコネクタの数が減少して、使用しないコネクタ嵌合部が発生する。従って、このような仕様ではジョイントコネクタのサイズが大きすぎて、無用なスペースを占有するとともに、無駄に使用するオス端子あるいはジョイントバスバーが発生することもある。
【０００７】
また、ワイヤーハーネスを接続するためにジョイントコネクタと、そのジョイントコネクタに取着されるメスコネクタを必要とするため、部品点数が増大する。さらに、各メスコネクタの嵌合位置及び各メスコネクタに取着される電線に応じて、ジョイントバスバーの設定を変更する必要がある。
【０００８】
この発明はこのような事情に鑑みてなされたものであり、その目的は部品使用効率を向上させ得る電線コネクタを提供することにある。
【課題を解決するための手段】
【０００９】
上記課題を解決する電線コネクタは、複数の電線を取着可能とした電線挿入孔を備えた複数のコマコネクタと、前記コマコネクタに設けられ、前記電線挿入孔に取着された電線を電気的に接続する導電部材と、前記各コマコネクタに設けられ、該コマコネクタを積層状態に連結する連結部と、前記各コマコネクタに設けられ、連結されたコマコネクタの前記導電部材を電気的に接続する接続部とを備えたことを特徴とする。
【００１０】
この構成により、コマコネクタを積層した状態で連結すると、各コマコネクタに取着された電線が電気的に接続される。
また、上記の電線コネクタにおいて、前記接続部は、連結されるコマコネクタの一方のコマコネクタの導電部材に接続されるオスコンセントと、連結されるコマコネクタの他方のコマコネクタの導電部材に接続され、前記オスコンセントと嵌合するメスコンセントとを備えることが好ましい。
【００１１】
この構成により、コマコネクタを連結すると、オスコンセントとメスコンセントが嵌合されて、各コマコネクタの導電部材が接続される。
また、上記の電線コネクタにおいて、前記オスコンセント及びメスコンセントを、前記導電部材の両端に接続することが好ましい。
【００１２】
この構成により、導電部材の両端がオスコンセント及びメスコンセントを介して接続される。
また、上記の電線コネクタにおいて、前記オスコンセントを具備するコマコネクタと、前記オスコンセントを具備しないコマコネクタを積層して連結することが好ましい。
【００１３】
この構成により、オスコンセントを具備しないコマコネクタを積層すると、当該コマコネクタの導電部材は電気的に接続されない。
また、上記の電線コネクタにおいて、前記導電部材を複数に分割し、前記オスコンセント及びメスコンセントを前記導電部材の各分割部分にそれぞれ設けることが好ましい。
【００１４】
この構成により、積層されたコマコネクタ間で分割された導電部材がそれぞれ接続される。
【発明の効果】
【００１５】
本発明の電線コネクタによれば、部品使用効率を向上させることができる。
【図面の簡単な説明】
【００１６】
【図１】電線コネクタを示す斜視図である。
【図２】コマコネクタを示す斜視図である。
【発明を実施するための形態】
【００１７】
以下、電線コネクタの一実施形態を図面に従って説明する。図１に示す電線コネクタは、直方体状の第一〜第三のコマコネクタ１ａ〜１ｃが３層に積層されて構成され、各コマコネクタ１ａ〜１ｃの一端側にはそれぞれ５個ずつの電線挿入孔２が開口されている。
【００１８】
そして、各電線挿入孔２に電線３ａ〜３ｃの端部に取着された接続端子（図示しない）がそれぞれ嵌着されて、各電線３ａ〜３ｃを電気的に接続可能となっている。
図２に示すように、最上層の第一のコマコネクタ１ａは、上面の四隅に嵌合凸部４が形成されている。また、第一のコマコネクタ１ａの下面には、嵌合凸部４を投影した位置に、嵌合凸部４と同形状の嵌合凸部を嵌合可能とした嵌合孔（図示しない）が形成されている。
【００１９】
第一のコマコネクタ１ａの他端側、すなわち電線挿入孔２の開口部の反対側には、嵌合凸部４の近傍にメスコンセント５がそれぞれ形成されている。
第一のコマコネクタ１ａの下面において、メスコンセント５を投影した位置にメスコンセント５と同形状のメスコンセントに嵌合可能としたオスコンセント６がそれぞれ下方へ突出するように形成されている。
【００２０】
第一のコマコネクタ１ａの他端側内部において、各電線挿入孔２の最奥部位置にはバスバー７が配設されている。そして、端部に接続端子が取着された電線３ａを電線挿入孔２内に挿入すると、各接続端子がバスバー７に接続されて、各電線３ａがバスバー７を介して電気的に接続されるようになっている。また、バスバー７はその両端部でメスコンセント５及びオスコンセント６に電気的に接続されている。
【００２１】
第二及び第三のコマコネクタ１ｂ，１ｃは、オスコンセントが設けられていない点を除いて、第一のコマコネクタ１ａと同様な構成である。そして、第二のコマコネクタ１ｂの各電線挿入孔２に電線３ｂを挿入すると、電線３ｂがバスバー７を介して電気的に接続され、第三のコマコネクタ１ｃの各電線挿入孔２に電線３ｃを挿入すると、電線３ｃがバスバー７を介して電気的に接続される。
【００２２】
次に、上記のように構成された電線コネクタの作用を説明する。
第一のコマコネクタ１ａのオスコンセント６を第二のコマコネクタ１ｂのメスコンセント５に嵌合しながら、第二のコマコネクタ１ｂの嵌合凸部４を第一のコマコネクタ１ａの嵌合孔に嵌合すると、第一のコマコネクタ１ａと第二のコマコネクタ１ｂとが積層された状態で連結される。
【００２３】
この状態では、オスコンセント６とメスコンセント５を介して第一のコマコネクタ１ａのバスバー７と、第二のコマコネクタ１ｂのバスバー７が電気的に接続される。従って、各電線挿入孔２に電線３ａ，３ｂをそれぞれ挿入した第一のコマコネクタ１ａと第二のコマコネクタ１ｂとを連結すると、電線３ａ，３ｂが電気的に接続される。
【００２４】
また、第二のコマコネクタ１ｂと第三のコマコネクタ１ｃを連結すると、第二のコマコネクタ１ｂにはオスコンセント６が設けられていないので、第二のコマコネクタ１ｂのバスバー７と、第三のコマコネクタ１ｃのバスバー７とは電気的に接続されない。
【００２５】
従って、第二のコマコネクタ１ｂの電線挿入孔２に挿入された電線３ｂと第三のコマコネクタ１ｃの電線挿入孔２に挿入された電線３ｃは電気的に接続されず、第二のコマコネクタ１ｂに挿入された電線３ｂが相互に接続され、第三のコマコネクタ１ｃに挿入された電線３ｃがそれぞれ相互に接続される。
【００２６】
従って、図１に示すように、３層に積層された第一〜第三のコマコネクタ１ａ〜１ｃの各電線３ａ〜３ｃは、第一及び第二のコマコネクタ１ａ，１ｂに接続された電線３ａ，３ｂが接続され、第三のコマコネクタ１ｃに接続された電線３ｃは、電線３ａ，３ｂには接続されない。
【００２７】
上記のような電線コネクタでは、次に示す効果を得ることができる。
（１）電線３ａ〜３ｃを接続した第一〜第三のコマコネクタ１ａ〜１ｃを積層して連結することにより、電線３ａ〜３ｃを第一〜第三のコマコネクタ１ａ〜１ｃ毎に電気的に接続し、さらに電線３ａ，３ｂを電気的に接続することができる。
（２）オスコンセント６の有無を除いてほぼ共通の第一〜第三のコマコネクタ１ａ〜１ｃで多数本の電線３ａ〜３ｃを接続することができる。従って、オスコネクタとメスコネクタを使用する必要がないので、部品点数を削減することができる。
（３）仕様の異なるワイヤーハーネス、すなわち接続する電線の本数が異なるワイヤーハーネスに対して、コマコネクタの積層数を変更することにより、容易に対応可能である。従って、使用しない電線挿入孔２の数を削減することができるので、電線の本数に応じて最適なサイズの電線コネクタで電線を接続することができる。
（４)オスコンセント６を具備しないコマコネクタを積層すると、当該コマコネクタ間の電線は接続されない。
（５)各コマコネクタ１ａ〜１ｃの電線挿入孔２に嵌着される電線３ａ〜３ｃは、それぞれバスバー７で電気的に接続されるので、各電線３ａ〜３ｃは各コマコネクタ１ａ〜１ｃで任意の電線挿入孔２に挿入することができる。従って、各電線３ａ〜３ｃを各コマコネクタ１ａ〜１ｃに取着する組み立て作業を容易に行うことができる。
（６）第一及び第二のコマコネクタ１ａ，１ｂに電線３ａ，３ｂを取着した後に、第一のコマコネクタ１ａと第二のコマコネクタ１ｂを嵌合すると、第一及び第二のコマコネクタ１ａ，１ｂに取着された電線３ａ，３ｂを電気的に接続することができる。従って、あらかじめ電線３ａ，３ｂを第一及び第二のコマコネクタ１ａ，１ｂに取着して２本のサブハーネスを形成し、次いで第一及び第二のコマコネクタ１ａ，１ｂを嵌合して、サブハーネスを結束すると、各コマコネクタ１ａ，１ｂに取着された電線３ａ，３ｂが電気的に接続されたワイヤーハーネスを形成することができる。
【００２８】
なお、上記実施形態は以下のように変更してもよい。
・オスコンセントを備えたコマコネクタが積層されるとき、各コマコネクタのバスバーを、中間部で電気的に２分割してもよい。このような構成により、各コマコネクタに取着される電線を左右に２分割して、電気的に接続することができる。
・オスコンセントを備えたコマコネクタが積層されるとき、各コマコネクタのバスバーを電気的に３分割して、各コマコネクタに取着される各電線を左右に３分割して電気的に接続するようにしてもよい。この場合には、３分割されたバスバーの各分割部分に、オスコンセントとメスコンセントをそれぞれ設ければよい。
【符号の説明】
【００２９】
１ａ〜１ｃ…第一〜第三のコマコネクタ、２…電線挿入孔、３ａ〜３ｃ…電線、４…連結部（嵌合凸部）、５…接続部（メスコンセント）、６…接続部（オスコンセント）、７…導電部材（バスバー）。
【図１】
2016115482.tif 000003
【図２】
2016115482.tif 000004